(57)【要約】【課題】内容詳細を視聴したいシーンにおいて、筐体間相対位置の変更を行うだけで、通常再生へ変更することを可能とし、キー入力などのユーザ操作による紛らわしさがなく、内容詳細の視聴ができる再生装置及び再生制御方法を提供する。【解決手段】音声や動画コンテンツを複数の再生速度で再生する再生装置であって、第１の筐体と、前記第１の筐体と連結した第２の筐体と、前記第１の筐体に備えられ、動画もしくは音に関するコンテンツを出力する出力部と、前記出力部が第１の再生速度で前記コンテンツを出力中に前記第１の筐体と前記第２の筐体との相対位置が変化した場合、第２の再生速度で前記コンテンツを出力する制御部と、を備えた再生装置。【選択図】図１
2011205173.tif 000002
【特許請求の範囲】
【請求項１】
動画もしくは音に関するコンテンツを出力する出力部と、
前記出力部が第１の再生速度で前記コンテンツを出力中に前記出力部が回転した場合、前記出力部が第２の再生速度で前記コンテンツを出力するよう制御する制御部と、を備えた再生装置。
【請求項２】
第１の筐体と、
前記第１の筐体と連結した第２の筐体と、
前記第１の筐体に備えられ、動画もしくは音に関するコンテンツを出力する出力部と、
前記出力部が第１の再生速度で前記コンテンツを出力中に前記第１の筐体と前記第２の筐体との相対位置が変化した場合、第２の再生速度で前記コンテンツを出力する制御部と、を備えた再生装置。
【請求項３】
請求項１または２に記載の再生装置であって、
前記第２の再生速度より前記第１の再生速度が速いことを特徴とする再生装置。
【請求項４】
請求項３に記載の再生装置であって、
前記制御部は、前記第１の再生速度から前記第２の再生速度に変更される時点より所定時間前の前記コンテンツのフレームから前記第２の再生速度で再生することを特徴とする再生装置。
【請求項５】
請求項４に記載の再生装置であって、
前記制御部は、前記所定時間を前記第１の再生速度に応じて変更することを特徴とする再生装置。
【請求項６】
請求項１から３のいずれか１項に記載の再生装置であって、
前記出力部は、動画を出力する表示部であり、
第１の再生速度が第２の再生速度より速い速度であり、
前記表示部に前記動画のサムネイル画像を出力するサムネイル画像制御部をさらに備え、
前記サムネイル画像を選択した状態で前記第１の再生速度から前記第２の再生速度に変更された場合、選択したサムネイル画像から前記第２の再生速度で再生することを特徴とする再生装置。
【請求項７】
請求項１ないし請求項６のいずれか１項に記載の再生装置を備える携帯端末装置。
【請求項８】
携帯端末装置に動画もしくは音を再生させる再生制御方法であって、
動画もしくは音に関するコンテンツを再生する再生ステップと、
前記携帯端末装置が第１の再生速度で前記コンテンツを再生中に前記携帯端末装置が回転した場合、前記携帯端末装置が第２の再生速度で前記コンテンツを再生するよう制御する制御ステップと、を備えた再生制御方法。
【請求項９】
第１の筐体と、前記第１の筐体と連結した第２の筐体と、を備えた携帯端末装置に動画もしくは音を再生させる再生制御方法であって、
動画もしくは音に関するコンテンツを再生する再生ステップと、
前記携帯端末装置が第１の再生速度で前記コンテンツを再生中に前記第１の筐体と前記第２の筐体との相対位置が変化した場合、前記携帯端末装置が第２の再生速度で前記コンテンツを再生するよう制御する制御ステップと、を備えた再生制御方法。
【請求項１０】
携帯端末装置に動画もしくは音を再生させるプログラムであって、
動画もしくは音に関するコンテンツを再生する再生ステップと、
前記携帯端末装置が第１の再生速度で前記コンテンツを再生中に前記携帯端末装置が回転した場合、前記携帯端末装置が第２の再生速度で前記コンテンツを再生するよう制御する制御ステップと、を備えたプログラム。
【請求項１１】
第１の筐体と、前記第１の筐体と連結した第２の筐体と、を備えた携帯端末装置に動画もしくは音を再生させるプログラムであって、
動画もしくは音に関するコンテンツを再生する再生ステップと、
前記携帯端末装置が第１の再生速度で前記コンテンツを再生中に前記第１の筐体と前記第２の筐体との相対位置が変化した場合、前記携帯端末装置が第２の再生速度で前記コンテンツを再生するよう制御する制御ステップと、を備えたプログラム。
【発明の詳細な説明】
【技術分野】
【０００１】
本発明は、コンテンツを複数の再生速度で再生できる、再生装置、再生制御方法及びプログラムに関する。
【背景技術】
【０００２】
従来から、携帯端末等において、本体もしくは外部記録媒体などに記録された音声コンテンツや動画コンテンツを再生させる技術が実用化されている。また、ユーザの利便性を向上するために、音声や動画コンテンツの再生では、１倍速での再生だけでなく、倍速再生やハイライト再生、ダイジェスト再生、あらすじ再生と呼ばれる技術も実用化されている。
【０００３】
ここで、「ハイライト再生」とは、映像の注目部分のみを集中的に見せる再生のことである。たとえば、スポーツの重要なプレーやイベントのシーンのみが集約して再生される（例えば、非特許文献１を参照）。また、「ダイジェスト再生」「あらすじ再生」とは、映画やドラマなどの音声や動画コンテンツを、全体のあらすじを損なうことなく短時間に要約して再生することをいう（例えば、非特許文献２を参照）。以下、ダイジェスト再生、あらすじ再生、ハイライト再生や倍速再生などのような１倍速でない再生速度での再生を、「特殊再生」と呼ぶ。また、１倍速での再生を「通常再生」と呼ぶ。
【０００４】
特殊再生と通常再生との切り替えに関して、キー操作などのユーザ操作による煩わしさを解決する技術が提案されている（例えば、特許文献１を参照）。
【先行技術文献】
【特許文献】
【０００５】
【特許文献１】特開２００８−４２７８９号公報
【非特許文献】
【０００６】
【非特許文献１】ＮＴＴＤｏＣｏＭｏ取扱説明書ＦＯＭＡ  Ｄ９０５ｉ  ２８４頁
【非特許文献２】ｄｏｃｏｍｏ  ＰＲＩＭＥｓＳｅｒｉｅｓ  Ｐ−０１Ａ取扱説明書  ３６０頁、３６２頁
【発明の概要】
【発明が解決しようとする課題】
【０００７】
しかしながら、上述した従来技術では、以下のような課題があった。
【０００８】
まず、非特許文献１に記載の技術において、特殊再生と通常再生を切り替えるには、ユーザ操作によるキー長押し押下を行う必要があった。
【０００９】
また、非特許文献２に記載の技術において、特殊再生（１．２５倍速／２倍速／あらすじ再生）と通常再生を切り替えるには、ユーザ操作による数回のキー入力を行う必要があった。
【００１０】
また、特許文献１に記載の技術において、特殊再生モード中の早送りもしくは早戻しを解除した場合、通常再生に戻るではなく、特殊再生モードに戻ることで、使い勝手を改善しているが、ユーザ操作による再生切り替え（ボタン押下）を行う必要があった。
【００１１】
すなわち、いずれの技術においても、通常再生と特殊再生の切り替えにおいて、ユーザ操作による煩わしさがあることと、特殊再生中に、ユーザが通常再生で視聴したいようなシーンで、ユーザによるキー入力がなくては、即座に、通常再生に切り替えることができなかった。
【００１２】
本発明では、上述した課題に鑑み、簡単に通常再生及び特殊再生の切り替えが可能な再生装置及び再生制御方法を提供することを目的とする。
【課題を解決するための手段】
【００１３】
本発明の再生装置は、動画もしくは音に関するコンテンツを再生する再生装置であって、前記コンテンツを出力する出力部と、前記出力部が第１の再生速度で前記コンテンツを出力中に前記出力部が回転した場合、前記出力部が第２の再生速度で前記コンテンツを出力するよう制御する制御部と、を備える。
【００１４】
この再生装置によれば、第１の再生速度で動画もしくは音に関するコンテンツを出力中に、ユーザが出力部を回転することによって、前記コンテンツを第２の再生速度で出力するように制御することができる。
【００１５】
また、本発明の再生装置は、動画もしくは音に関するコンテンツを再生する再生装置であって、第１の筐体と、前記第１の筐体と連結した第２の筐体と、前記第１の筐体に備えられ、前記コンテンツを出力する出力部と、前記出力部が第１の再生速度で前記コンテンツを出力中に前記第１の筐体と前記第２の筐体との相対位置が変化した場合、第２の再生速度で前記コンテンツを出力する制御部と、を備える。
【００１６】
この再生装置によれば、第１の再生速度で動画もしくは音に関するコンテンツを出力中に、ユーザが第１の筐体と第２の筐体との相対位置を変化させた場合に、前記コンテンツを第２の再生速度で出力するように制御することができる。
【００１７】
また、本発明の再生制御方法は、携帯端末装置に動画もしくは音を再生させる再生制御方法であって、動画もしくは音に関するコンテンツを再生する再生ステップと、前記携帯端末装置が第１の再生速度で前記コンテンツを再生中に前記携帯端末装置が回転した場合、前記携帯端末装置が第２の再生速度で前記コンテンツを再生するよう制御する制御ステップと、を備える。
【００１８】
この再生制御方法によれば、第１の再生速度で動画もしくは音に関するコンテンツを出力中に、ユーザが出力部を回転することによって、前記コンテンツを第２の再生速度で出力することができる。
【００１９】
また、本発明の再生制御方法は、第１の筐体と、前記第１の筐体と連結した第２の筐体と、を備えた携帯端末装置に動画もしくは音を再生させる再生制御方法であって、動画もしくは音に関するコンテンツを再生する再生ステップと、前記携帯端末装置が第１の再生速度で前記コンテンツを再生中に前記第１の筐体と前記第２の筐体との相対位置が変化した場合、前記携帯端末装置が第２の再生速度で前記コンテンツを再生するよう制御する制御ステップと、を備える。
【００２０】
この再生制御方法によれば、第１の再生速度で動画もしくは音に関するコンテンツを出力中に、ユーザが第１の筐体と第２の筐体との相対位置を変化させた場合に、前記コンテンツを第２の再生速度で出力することができる。
【００２１】
また、本発明のプログラムは、携帯端末装置に動画もしくは音を再生させるプログラムであって、動画もしくは音に関するコンテンツを再生する再生ステップと、前記携帯端末装置が第１の再生速度で前記コンテンツを再生中に前記携帯端末装置が回転した場合、前記携帯端末装置が第２の再生速度で前記コンテンツを再生するよう制御する制御ステップと、を備える。
【００２２】
このプログラムによれば、第１の再生速度で動画もしくは音に関するコンテンツを出力中に、ユーザが出力部を回転することによって、前記コンテンツを第２の再生速度で出力することができる。
【００２３】
また、本発明のプログラムは、第１の筐体と、前記第１の筐体と連結した第２の筐体と、を備えた携帯端末装置に動画もしくは音を再生させるプログラムであって、動画もしくは音に関するコンテンツを再生する再生ステップと、前記携帯端末装置が第１の再生速度で前記コンテンツを再生中に前記第１の筐体と前記第２の筐体との相対位置が変化した場合、前記携帯端末装置が第２の再生速度で前記コンテンツを再生するよう制御する制御ステップと、を備える。
【００２４】
このプログラムによれば、第１の再生速度で動画もしくは音に関するコンテンツを出力中に、ユーザが第１の筐体と第２の筐体との相対位置を変化させた場合に、前記コンテンツを第２の再生速度で出力することができる。
【発明の効果】
【００２５】
本発明によれば、特殊再生と通常再生を簡単に切り替えることができる再生装置、再生制御方法及びプログラムを提供することができる。
【図面の簡単な説明】
【００２６】
【図１】本発明の実施の形態１における携帯電話機の構成を示すブロック図
【図２】本発明の実施の形態１における携帯電話機の動作を示すフローチャート
【図３】本発明の実施の形態１における動作例を説明するための例示図
【図４】本発明の実施の形態１における制御処理手順の実行に伴うフレーム抽出の例示図
【図５】本発明の実施の形態２における携帯電話機の構成を示すブロック図
【図６】本発明の実施の形態２における携帯電話機のサムネイル画像制御の動作を示すフローチャート
【図７】本発明の実施の形態２における動作例を説明するための例示図
【図８】本発明の実施の形態１における携帯電話機の２つの筐体間相対位置を説明するための例示図
【発明を実施するための形態】
【００２７】
本発明の実施の形態について、図面を参照して以下に説明する。
【００２８】
また、以下の実施形態では、本発明に係る再生装置、再生制御方法及びプログラムの一例として、再生機能を有する携帯電話機に適用した例を示す。なお、適用する電子機器は、携帯型テレビなど、これに限定されない。
【００２９】
また、コンテンツとは、映像、音声がデジタルデータにエンコードされ、映像エンコードデータ単独、音声エンコードデータ単独、もしくは映像エンコードデータと音声エンコードデータが合わせて、メモリカードやハードディスク等の不揮発性もしくは揮発性の記憶装置に保存され、デコード処理により、映像、音声として再生可能なデジタルデータである。また、前記コンテンツを、デコード処理により、映像、音声として再生可能な形式にしたものを、「デコードデータ」と呼ぶ。ここでは、動画コンテンツの再生を例に記載するが、音声コンテンツの再生にも適用できる。
【００３０】
（実施の形態１）
図１は、実施の形態１に係る携帯電話機の主要な構成を示すブロック図である。
【００３１】
図１に示す携帯電話機１００は、主に、操作部１０１、制御部１０２、記憶部１０３、デコード処理部１０４、出力部１０５、表示部１０６、検出部１０７などを備えている。
【００３２】
なお、ここでは、携帯電話機１００は二つの筐体を有する折畳式とし、ユーザの動作、例えば筐体を摺動／開閉／回転することによって、筐体間の相対位置を複数の状態に変えられる。例えば、図８に示すように、収納状態（筐体間相対位置Ａ）から第１の筐体を開くと開蓋状態（筐体間相対位置Ｂ）となり、第１と第２の筐体と両方とも横に倒したら、筐体間相対位置Ｃにもなれる。また、違う機構構造を持つ折畳式携帯電話機は、筐体間相対位置Ｂから、上の筐体を更に横に倒したら、筐体間相対位置Ｄとなることも見られる。なお、以下、ユーザによる筐体間の相対位置を変化させる動作は、「ユーザジェスチャ」と呼ぶ。
【００３３】
操作部１０１は、テンキーやタッチパネルやタッチパッドから構成されている。なお、以下で、操作部１０１による入力は、「ユーザ操作」と呼ぶ。
【００３４】
検出部１０７は、ユーザジェスチャによる前述した筐体間の相対位置が筐体間相対位置ＡからＢもしくはＣもしくはＤになることを検出できるセンサーを備え、筐体間の相対位置の変化を検出した場合、後述する制御部に検出信号を入力する機能を提供する。また、センサーの一例として、機構的なスイッチや磁石も考えられる。
【００３５】
制御部１０２は、操作部１０１により入力された信号に従って動画コンテンツ再生などの機能を制御する。また、検出部１０７からの検出信号により、出力部１０５に再生画面のサイズや向きなどの表示や再生速度の変更などの処理を出力する制御機能も行う。すなわち、制御部は、操作部１０１からのユーザ操作や検出部１０７の検出信号に基づき、コンテンツ再生制御に必要な情報を出力部１０５や後述するデコード処理部１０４などへ出力する。
【００３６】
記憶部１０３は、メモリカード等の不揮発性もしくは揮発性の記憶装置で構成され、動画コンテンツや再生速度や再生開始位置といった、制御部１０２による制御に必要な情報を記憶しておく。
【００３７】
デコード処理部１０４は、例えばＭＰＥＧ４のようなコンテンツのエンコード方式に従って、音声や動画コンテンツをデコードする機能を提供する。デコード処理部１０４は、制御部１０２が決定した再生速度に従って、動画コンテンツを出力部１０５で出力可能な通常再生、特殊再生用のデコードデータへデコードし、制御部１０２へ出力する。
【００３８】
出力部１０５は、有機ＥＬや液晶表示部素子などから構成される表示部１０６であり、文字や画像の出力を制御する機能を提供し、制御部１０２からの指示に従って、コンテンツのデコードデータを出力する。
【００３９】
ここで、携帯電話機１００は、ＣＰＵやＤＳＰ等のプロセッサ、及びメモリを有するコンピュータを備えている。上記の制御部１０２、デコード処理部１０４及び検出部１０７は、携帯電話機内のプロセッサがメモリまたは他の記憶媒体に格納されたプログラムを実行することにより、各機能が実現される。
【００４０】
図２は、上記構成を有する携帯電話機１００の制御処理手順を示すフローチャートである。この制御処理は、検出部１０７と制御部１０２とデコード処理部１０４の機能により実行される。制御処理のプログラムは、携帯電話機１００内の記憶部１０３に格納されており、携帯電話機１００内のプロセッサによって実行される。また、図３は、図２の制御処理手順の実行に伴う出力部１０５の一部である表示部１０６の表示画面の例を示す図である。また、図４は、図２の制御処理手順の実行に伴うフレーム抽出の例示図である。
【００４１】
ステップＳ２０１で、操作部１０１は、ユーザによるハードキーもしくはソフトキーなどの入力を受付け、制御部１０２に出力する。制御部１０２は、操作部１０１からの入力に応じて、音声もしくは動画再生機能を起動し、再生する音声や動画コンテンツを記憶部１０３から読み出し、動画再生制御を実施する。そして、ステップＳ２０２へ遷移する。
【００４２】
ステップＳ２０２で、制御部１０２は、操作部１０１からの入力を受付、動画コンテンツ再生機能の起動内容として、倍速再生やハイライト再生、ダイジェスト再生、あらすじ再生などといった第１の再生速度での特殊再生と判断した場合には、ステップＳ２０３へ遷移する。一方、特殊再生ではなく、１倍速である第２の再生速度での通常再生が選択されていた場合には、ステップＳ２０５へ遷移する。
【００４３】
ステップＳ２０３で、検出部１０７は、ユーザジェスチャにより携帯電話機１００に発生した筐体間相対位置の変化を検知したか否かを判断する。筐体間相対位置の変化を検知しない場合には、ステップＳ２０９へ遷移する。一方、例えば、筐体間相対位置ＢからＣへ変わったような筐体間相対位置の変化を検知した場合には、ステップＳ２０４へ遷移する。
【００４４】
ステップＳ２０９で、制御部１０２は、特殊再生のためのデコード開始フレームの決定、デコード開始フレームと第１の再生速度の設定指示をデコード処理部１０４へ出力するといった、特殊再生制御を実施する。そして、ステップＳ２１０へ遷移する。
【００４５】
ステップＳ２１０で、デコード処理部１０４は、制御部１０２から入力された設定指示に従い、出力部１０５で出力可能な動画デコードデータへデコードし、制御部１０２へ渡す。そして、ステップＳ２１１へ遷移する。
【００４６】
ステップＳ２１１で、制御部１０２は、デコード処理部１０４から渡されたデコード済みの動画デコードデータの画像及び音声の同期を取り、出力部１０５で表示可能なサイズに変更する。そして、ステップＳ２１２へ遷移する。
【００４７】
ステップＳ２１２で、出力部１０５は、制御部１０２による特殊再生の指示により、制御部１０２から渡された動画デコードデータの画像及び音声を表示部１０６及び図示しないスピーカ経由で出力する。そして、ステップＳ２１３へ遷移する。なお、図３（Ａ）には、特殊再生の状態で、検出部１０７で筐体間相対位置の変化を検知されない場合に、制御部１０２が表示部１０６に出力する結果を示す。例えば、初期状態が筐体間相対位置Ｂであり、第１の筐体に備えた出力部１０５の表示画面が縦画面である場合、出力部１０５は縦画面にて動画デコードデータを特殊再生（４倍速）で再生中の画面表示３０１を出力する。
【００４８】
ステップＳ２１３で、制御部１０２は、操作部１０１からのユーザ操作により、動画コンテンツ再生機能終了が入力された場合は、動画コンテンツ再生機能を終了する。一方、終了入力がない場合は、ステップＳ２０２へ遷移する。
【００４９】
一方、ステップＳ２０３で、検出部１０７は、筐体間相対位置の変化を検知した場合には、制御部１０２に検出信号を入力し、ステップＳ２０４へ遷移する。
【００５０】
ステップＳ２０４で、制御部１０２は、検出部１０７が筐体間相対位置の変化を検知した場合には、筐体間相対位置の変化が発生する時に再生していたフレームに時間軸上最も近い、再生済の画面内エンコードフレームを記憶部１０３に記憶された再生対象の動画像コンテンツから探索する。そしてステップＳ２０５へ遷移する。
【００５１】
ステップＳ２０５で、制御部１０２は、探索した通常再生開始用の画面内エンコードフレームと第２の再生速度の動画像再生指示信号をデコード処理部１０４に出力する。そして、ステップＳ２０６へ遷移する。
【００５２】
ステップＳ２０６で、デコード処理部１０４は、制御部１０２から入力された再生指示信号に従い、出力部１０５で出力可能な動画デコードデータの画像及び音声へデコードし、制御部１０２へ渡す。そして、ステップＳ２０７へ遷移する。
【００５３】
ステップＳ２０７で、制御部１０２は、デコード処理部１０４から渡されたデコード処理済みの動画デコードデータの画像及び音声の同期を取り、出力部１０５で表示可能なサイズに変更する。そして、ステップＳ２０８へ遷移する。
【００５４】
ステップＳ２０８で、出力部１０５は、制御部１０２による通常再生の指示により、制御部１０２から渡された動画デコードデータの画像及び音声を表示部１０６及び図示しないスピーカ経由で出力する。そして、ステップＳ２１３へ遷移する。なお、図３（Ｂ）には、表示部１０６による、特殊再生から通常再生に切り替わった後の表示出力結果を示す。例えば、携帯電話機１００は、開蓋状態（筐体間相対位置Ｂ）において縦画面にて第１の再生速度（４倍速）での特殊再生中、検出部１０７がユーザジェスチャにより筐体間の相対位置が開蓋状態（筐体間相対位置Ｂ）から両筐体とも横になった筐体間相対位置Ｃへと変化されたことを検出したことを入力された制御部１０２は、表示サイズを拡大し、表示方向を変更するとともに、筐体間相対位置の変化時に再生していたフレームに時間軸上最も近い、再生済の画面内エンコードフレームを探索し、デコード部１０４に出力する。また、制御部１０２はデコード部１０４によりデコードされた画面内エンコードフレームのデコードデータの画像及び音声からの第２の再生速度（１倍速）での通常再生指示信号などを出力部１０５に出力する。出力部である表示部１０６は、制御部１０２で出力された信号により表示画面３０２を出力する。
【００５５】
ここで、図４に示すように、ステップＳ２０４で行われる、画面表示３０２に表示されるフレームの探索について説明する。
【００５６】
第１の再生速度である特殊再生で再生中のフレーム４０３が表示される際、検出部１０７は、ユーザジェスチャにより筐体間相対位置が筐体間相対位置Ｂから筐体間相対位置Ｃへの変化を検出し（Ｓ２０３）、制御部１０２に検出信号を入力する。制御部１０２は検出信号を受け付け、通常再生開始用のフレームを探索する（Ｓ２０４）。制御部１０２は、シーンが切り替わる場面がエンコードされると出力されるフレームである画面内エンコードフレーム４０１、４０２といったフレーム候補から、時間軸上フレーム４０３より以前に位置するフレームの中より最も近い画面内エンコードフレームとなるフレーム４０２を通常再生開始フレームと決定し、デコード処理部１０４へ探索結果を出力する。このようにすることで、最も近い画面内エンコードフレーム４０２が通常再生開始フレームとしてデコードされ、そのデコードデータが出力されることで、シーンが切り替わる場面から、通常再生で見ることが出来る。
【００５７】
このように、実施の形態１では、携帯電話機は、動画コンテンツを特殊再生中に携帯電話機の筐体間相対位置の変化が検出された場合、筐体間相対位置変化時に時間軸上最も近い過去の画面内エンコードフレームから通常再生に自動的に変更することで、内容詳細を視聴したいシーンにおいて、ユーザジェスチャによって、再生速度を変更し、内容詳細を視聴することが出来る。従って、ユーザによるキー操作のような煩わしさがなく、一瞬にして特殊再生と通常再生の切り替えを実現することができ、簡単な再生制御になる。
【００５８】
（実施の形態２）
次に、本発明の第２の実施の形態の構成、動作及び作用について説明する。
【００５９】
図５は、実施の形態２に係る携帯電話機１００の構成を示すブロック図である。なお、図５において、図１に示した構成と同一の構成には同一の番号を付与して示してある。図１との違いは、サムネイル画像制御部５０８である。
【００６０】
サムネイル画像制御部５０８は、制御部１０２の一部であり、動画コンテンツの再生中に、動画コンテンツの画面内エンコードフレームのデコード画像をサムネイル画像として表示部１０６に出力するための制御を実施する。サムネイル画像はユーザ操作により選択可能です。
【００６１】
図６は、実施の形態２に係る上記構成を有する携帯電話機１００の特殊再生中のサムネイル画像制御手順を示すフローチャートである。
【００６２】
ステップＳ６０１で、サムネイル画像制御部５０８が、デコード処理部１０４でデコードしているフレームが、画面内エンコードフレームであるかどうかを判断する。画面内エンコードフレームである場合には、ステップＳ６０２へ遷移する。一方、デコード処理部１０４でデコードしているフレームが画面内エンコードフレームでない場合には、ステップＳ６０４へ遷移する。
【００６３】
ステップＳ６０２で、サムネイル画像制御部５０８が、すでに記憶部１０３に保存されているサムネイル画像枚数が、ユーザ設定もしくは固定枚数として事前に設定された枚数以下であるかどうかを判断する。例えば、ユーザ設定として、３枚と設定されているが、すでに記憶部１０３に保存されているサムネイル画像枚数が２枚で、ユーザ設定枚数未満である場合、ステップＳ６０３へ遷移する。一方、すでに記憶部１０３に保存されているサムネイル画像枚数が４枚で、ユーザ設定枚数以上である場合、ステップＳ６０４へ遷移する。ステップＳ６０３で、サムネイル画像制御部５０８が、特殊再生の動画像再生用にデコードしている画面内エンコードフレームのデコードデータをサムネイル表示用に縮小処理を実施し、記憶部１０３に保存する。そして、ステップＳ６０４へ遷移する。
【００６４】
ステップＳ６０４で、サムネイル画像制御部５０８は、記憶部１０３に保存されているサムネイル画像を、サムネイル画像表示枚数分、時間軸上再生済のサムネイル画像から並べて、特殊再生中の画面に重ねて、出力部１０５で表示可能なサイズに変更する。そして、ステップＳ６０５へ遷移する。
【００６５】
ステップＳ６０５で、出力部１０５は、サムネイル画像制御部５０８によるサムネイル画像表示の指示により、サムネイル画像制御部５０８から渡されたサムネイル画像を表示部１０６で出力する。そして、ステップＳ６０６へ遷移する。
【００６６】
ステップＳ６０６で、サムネイル画像制御部５０８は、ユーザが操作部１０１の操作により、通常再生に変更したいシーンを出力されたサムネイル画像から選択したことを検知したか否かを判断する。サムネイル画像からの選択を検知しない場合には、ステップＳ６０１へ遷移する。一方、サムネイル画像からの選択を検知した場合には、ステップＳ６０７へ遷移する。
【００６７】
ステップＳ６０７で、サムネイル画像制御部５０８は、ステップＳ６０６で、選択されたサムネイル画像に対応するフレームを、通常再生開始フレームとして記憶部１０３へ記憶する。
【００６８】
なお、通常再生開始フレームが記憶されている状態において、検出部１０７が筐体間相対位置の変化を検出できた場合は、制御部１０２は、新たに通常再生開始用の画面内エンコードフレームを探索すること（図２のステップＳ２０４）がなく、図６のステップＳ６０７で既に記憶された通常再生開始フレームを用いて通常再生制御を行う。すなわち、サムネイル画像選択後ユーザジェスチャが入力された場合の具体的な処理として、実施の形態１で前述した図２のステップＳ２０４の処理が記憶済通常再生開始フレームを探索することに代わり、それ以降は図２に示すステップＳ２０５からＳ２０８と同一なものとなる。
【００６９】
次に、実施の形態２の動作例について、図７の例示図を参照して説明する。７０１は、縦画面にて動画コンテンツを特殊再生で再生中の例である。フレーム４０３が特殊再生しているフレームであって、サムネイル画像制御部５０８は特殊再生で再生済みの画面内エンコードフレームのデコード画像をサムネイル画像４０１及び４０２として複数（この例では２枚）表示させている。ユーザが操作部１０１の入力により、通常再生に変更したいシーンであるサムネイル画像４０２を選択する（７０２）。サムネイル画像４０２が選択された状態において、所定時間以内に（例えば、選択されてから０．５秒以内）、検出部１０７により携帯電話機１００は筐体間相対位置が図８に示すような筐体間相対位置ＢからＣへと変化を検出した場合、制御部１０２は表示サイズや表示方向を変更するとともに、ユーザが操作部１０１の入力により選択したサムネイル画像４０２に対応する画面内エンコードフレームを探索し、その画面内エンコードフレームから通常再生に変更する（７０３）。
【００７０】
このように、実施の形態２では、動画コンテンツを特殊再生で再生中に、再生済みの画面内エンコードフレームのデコード画像をサムネイル表示し、ユーザが通常再生で視聴したいシーンをサムネイル表示から選択し、ユーザジェスチャによる筐体間相対位置の変化が発生する時に、ユーザが選択した画面内エンコードフレームから通常再生に自動的に変更する。所定のシーンが再生されるタイミングに筐体間相対位置の変更を実施することで、キー入力などのユーザ操作による紛らわしさがなく、所定シーンよりその内容詳細をゆっくり視聴することが出来る。
【００７１】
なお、実施の形態２において、サムネイル画像が選択されてから所定時間以内に筐体間相対位置を変える例としてあげたが、その動作に限定されるものではない。例えば、サムネイル画像を選択するユーザ操作が筐体間相対位置の変更を実施するジェスチャの一部となった場合、すなわち、親指が視聴したいサムネイル画像を選択したまま、人差し指と一緒に筐体を倒すと、サムネイル画像の選択及び筐体間相対位置の変化を２つの動作で実施する手間を省き、即時に視聴したいシーンより通常再生を開始することができる。
【００７２】
また、再生済みの画面内エンコードフレームのデコード画像からサムネイル画像を選択すると例示したが、サムネイル画像制御部５０８が再生しているフレームよりも時間軸上先（未来）の画面内エンコードフレームをサムネイル画像枚数分、探索し、デコード処理してサムネイル表示する。ユーザが通常再生で視聴したいシーンをサムネイル画像から選択し、選択したサムネイル画像に対応する画面内エンコードフレームのデコード処理から、自動的に通常再生に切り替えるようにしてもよい。
【００７３】
また、通常再生位置選択用にサムネイル表示する画面内エンコードフレームのデコード画像は、動画像再生を開始する前処理として、音声や動画コンテンツから事前に画面内エンコードフレームのみの探索、デコード処理、デコード画像の保存を実施しておいてもよい。このようにすることで、通常再生位置選択用にサムネイル表示する画面内エンコードフレームのデコード画像を、動画像再生の特殊再生中に作成、保存する必要がなくなる。
【００７４】
なお、本発明では、動画コンテンツ再生における出力部は表示部を例として記述したが、音声コンテンツ再生にも適用できる。音声コンテンツ再生の場合、出力部は音を出力するスピーカとなってもよい。
【００７５】
また、筐体間の相対位置について、前述した折畳式携帯電話のほか、スライドやフリップなどといった複数の筐体を有する携帯電話機であればよい。例えば、スライド型携帯電話機の場合、図８に示すように、通常は両筐体がほぼ完全に重なっている収納状態（筐体間相対位置Ａ’）であるが、ユーザの摺動動作により、開蓋状態（筐体間相対位置Ｂ’）に変更されたことが筐体間相対位置の変化とも言える。
【００７６】
また、本発明では、特殊再生から通常再生への変更について述べたが、通常再生から特殊再生への変更でもよい。例えば、通常再生中、筐体間相対位置の変化が検出された場合、特殊再生に切り替えることもできる。この場合、第１の再生速度は１倍速の通常再生速度とし、第２の再生速度は例えば４倍速の特殊再生速度とする。つまり、ユーザジェスチャによる２つの再生速度間での切り替えについて簡単に実現されることが可能である。
【００７７】
なお、筐体間相対位置の変化を例として記述したが、検出部１０７に加速度センサー、角度センサー、ジャイロセンサー、地磁気センサーなどのような検出センサーを備え、出力部１０５の回転を検知できる。ユーザジェスチャを通じて筐体を横に倒したことによって、表示部１０６の表示画面が縦画面から横画面へ回転を１回起こしたことを出力部の回転とみなし、それを検出したことによって、切り替えを行ってもよい。また、１つのジェスチャだけでなく、横画面の状態で縦にした後、また横に戻したような、複数のユーザジェスチャを１つのジェスチャとみなし、すべてのジェスチャが終了してから、初期状態との比較により、切り替えの判断を行ってもよい。また、ユーザジェスチャによる出力部の回転角度が９０度でなくてもよく、検出部で検知できる角度であればいい。例えば、筐体を傾けただけで、３０度回転し、また元の状態になっても、出力部の回転が発生するので、特殊再生から通常再生へ切り替えを行ってもよい。
【００７８】
なお、本発明では、携帯電話機を例として記述したが、例えば、携帯型テレビ、携帯型メディアプレーヤー、テレビなどに使用する検出センサー搭載のリモートコントローラなども考えられる。
【産業上の利用可能性】
【００７９】
以上述べたように、再生装置の筐体間相対位置の変更や出力部の回転を実施するだけで、特殊再生と通常再生の切り替えを可能とし、キー入力などのユーザ操作による紛らわしさがなく、再生速度の変更ができる再生装置及び再生制御方法を提供することができる。よって、本発明は、携帯型テレビ、再生装置を遠隔制御し検出センサー搭載のリモートコントローラまたは再生機能を備えた携帯電話等に有用である。
【符号の説明】
【００８０】
１０１    操作部
１０２    制御部
１０３    記憶部
１０４    デコード処理部
１０５    出力部
１０６    表示部
１０７    検出部
５０８    サムネイル画像制御部
８０１    折畳式携帯電話の第１の筐体
８０２    折畳式携帯電話の第２の筐体
８０３    スライド式携帯電話の第１の筐体
８０４    スライド式携帯電話の第２の筐体
【図１】
2011205173.tif 000003
【図２】
2011205173.tif 000004
【図５】
2011205173.tif 000005
【図６】
2011205173.tif 000006
【図８】
2011205173.tif 000007
【図３】
2011205173.tif 000008
【図４】
2011205173.tif 000009
【図７】
2011205173.tif 000010